(57)【要約】【課題】部屋全体を加湿するのみではなく、特定領域をスポット的に加湿することができる気化式の加湿装置を提供する。【解決手段】その内部に、送風手段２と、加湿フィルター３と、貯水容器４とを有し、天面５に第１の吹出口６を有している本体ケース７と、第１の吹出口６からの加湿空気の吹出方向を変更する風向変更部８を備えている加湿装置１であって、風向変更部８が、水平外側方向に加湿空気を吹き出すスポット用吹出口を備えている。【選択図】図１
2014020707.tif 000002
【特許請求の範囲】
【請求項１】
その内部に、送風手段と、加湿フィルターと、貯水容器とを備え、天面に第１の吹出口を有している本体ケースと、前記第１の吹出口からの加湿空気の吹出方向を変更する風向変更部を備えている加湿装置であって、前記風向変更部が、水平外側方向に加湿空気を吹き出すスポット用吹出口を備えていることを特徴とする加湿装置。
【請求項２】
前記風向変更部は、上面板、外側壁および仕切壁により規定される空気室を備えており、前記スポット用吹出口が、前記外側壁の一部に形成されていることを特徴とする請求項１に記載の加湿装置。
【請求項３】
前記本体ケースの前記天面の外郭が円形であり、前記風向変更部の上面板の外郭が、前記天面の外郭に対応した円形であることを特徴とする請求項２に記載の加湿装置。
【請求項４】
前記第１の吹出口が、前記天面の一部の領域に形成されており、前記風向変更部が、前記上面板の前記空気室を規定する部分以外の領域に、垂直方向に加湿空気を吹き出す第２の吹出口を備えており、前記天面に対して前記風向変更部を相対的に回動させることにより、前記第１の吹出口から前記空気室に供給される加湿空気と前記第１の吹出口から前記第２の吹出口に供給される加湿空気の比率が変化することを特徴とする請求項３に記載の加湿装置。
【請求項５】
前記天面が、平面視した状態で円形であり上方に突出する中央部と、その周囲の円環部とを備えており、前記円環部が、前記第１の吹出口と閉塞部とからなっており、前記風向変更部が、平面視した状態で、前記円環部の外形に対応した円環形であり、前記中央部に前記風向変更部を着脱可能に係止する係止爪が、前記風向変更部の内側壁に設けられており、前記風向変更部の外側壁には設けられてないことを特徴とする請求項４に記載の加湿装置。
【請求項６】
前記風向変更部は、前記天面に対して所定の位置にある場合にのみ、前記係止爪による係止を外して、前記本体ケースから取り外し可能に構成されていることを特徴とする請求項５に記載の加湿装置。
【請求項７】
前記円環部の外郭に溝が形成されていることを特徴とする請求項６に記載の加湿装置。
【請求項８】
前記第１の吹出口および／または前記スポット用吹出口に、前記送風手段により形成された加湿空気の流れを整流する整流板が設けられていることを特徴とする請求項１から７のいずれか１項に記載の加湿装置。
【請求項９】
前記整流板が、前記天面の前記第１の吹出口の送風手段側の面に鉛直方向に設けられていることを特徴とする請求項８に記載の加湿装置。
【発明の詳細な説明】
【技術分野】
【０００１】
本発明は、貯水容器に貯水した水に一部を浸漬した加湿フィルターに通風して加湿する気化式の加湿装置に関する。
【背景技術】
【０００２】
従来、吹出し口から空気が吹き出す方向を変化させることを目的として、種々の構造が提案されている。例えば、自動車用ベンチレータの空気吹出口装置などに用いられるものとして、円筒状摺動体とこれに摺動自在に取り付けられる枠体とからなる合成樹脂製摺接係着構造が提案されている（特許文献１参照）。
【０００３】
また、加湿器において、円盤状の頂部とその周縁部から下方に延びた円筒状の胴部とが一体成形された噴出部を回動支持部に対して３６０°水平方向に回動自在とした構造が提案されている。この加湿器の噴出部には、円盤状の頂部の一方側に半円状の開口部が、他方側に複数の切り欠き口がそれぞれ形成されている。また、噴出部の胴部には、半円状の開口部に対応した一方側にのみ側壁開口部が形成されている（特許文献２参照）。
【０００４】
特許文献２に記載の加湿器は、上方に加湿空気を吹き出すための頂部の開口部および切り欠き口に加えて、側方に加湿空気を吹き出すための側壁開口部を胴部の一方側にのみ備えている。この構成により、噴出部を回動させることで、加湿空気の吹出方向を変えることができる。例えば、加湿器を壁際等に設置する場合、噴出部を回動させれば、側壁開口部を壁以外の方向に向けることができる。このように、特許文献２には、例えば壁等に結露が生じるといった問題を抑制するために、加湿空気の吹出方向を変える構成が記載されている。
【０００５】
上記のとおり、特許文献２には、噴出部の大部分から加湿空気を吹き出すと共に、所定の方向への吹き出しを抑制するために、胴部の一部を閉塞する構成が記載されている。これは、従来、加湿器により加湿する対象を部屋全体としていたことによる。
【先行技術文献】
【特許文献】
【０００６】
【特許文献１】特開昭６３−２５９３４５号公報
【特許文献２】特開２００８−２５９１６号公報
【発明の概要】
【発明が解決しようとする課題】
【０００７】
発明者らは、近年、部屋全体ではなく特定領域をスポット的に加湿することの要求が生じており、また、その要求が高まってきていることを新たに見いだした。しかしながら、従来の加湿器は、上述したとおり、部屋全体を加湿する目的で用いられている。このため、ある特定領域を集中的に加湿する、スポット的な加湿に適した加湿器は存在しない。
【０００８】
そこで、本発明は、従来とは異なる新たな課題を解決すること、すなわち特定領域に対するスポット的な加湿に適した気化式の加湿装置を提供することを目的としている。
【課題を解決するための手段】
【０００９】
本発明の加湿装置は、その内部に、送風手段と、加湿フィルターと、貯水容器とを備え、天面に第１の吹出口を有している本体ケースと、前記第１の吹出口からの加湿空気の吹出方向を変更する風向変更部を備えている加湿装置であって、前記風向変更部が、水平外側方向に加湿空気を吹き出すスポット用吹出口を備えている。
【発明の効果】
【００１０】
本発明の加湿装置によれば、風向変更部のスポット用吹出口から外側方向に加湿空気を吹き出すことによって、特定領域に対するスポット的な加湿が可能となる。
【図面の簡単な説明】
【００１１】
【図１】本発明の実施形態に係る加湿装置を斜前上側から見た斜視図
【図２】加湿装置の内部構造を示す図１のＡ−Ａ’矢視断面図
【図３】加湿装置の本体ケースから風向変更部を取り外した状態を示す斜視図
【図４】加湿装置の内部構造を示す図１のＡ−Ａ’矢視断面斜視図（（ａ）吹出口が正面を向いた状態の断面斜視図（ｂ）吹出口が背面を向いた状態の断面斜視図）
【図５】取り外された風向変更部を底面から見た平面図
【図６】風向変更部が取り外された状態の本体ケースの天面の部分拡大斜視図
【図７】第１の吹出口の整流版と送風手段の一部および吹出口との位置関係を説明する、送風手段の一部および天面の第１の吹出口を下方から見た部分拡大斜視図
【発明を実施するための形態】
【００１２】
以下、本発明の実施形態について、図１〜図７に基づいて説明する。
【００１３】
図１は、本発明の実施形態に係る加湿装置を斜前上側から見た斜視図である。図２は、加湿装置の内部構造を示す図１のＡ−Ａ’矢視断面図である。これらの図に示すように、本実施形態の加湿装置１は、その内部に、送風手段２と、加湿フィルター３と、貯水容器４とを有し、天面５に第１の吹出口６を有している本体ケース７と、第１の吹出口６からの加湿空気の吹出方向を変更する風向変更部８を備えている。そして、風向変更部８が、外側方向に加湿空気を吹き出すスポット用吹出口９を備えている。また、空気を取り入れるために、貯水容器４の側面の本体ケース７を切り欠いた領域に設けられた吸込口４１と、本体ケース７下面に設けられた吸込口７１とを備えている。
【００１４】
本実施形態の加湿装置１は、吸込口４１および吸込口７１から吸込んだ空気を、貯水容器４において貯水されている水を吸水した加湿フィルター３を通過させて加湿空気として、送風手段２により本体ケース７の天面５に設けられた第１の吹出口６から上方に吹き出すものである。
【００１５】
加湿装置は、湿度を上げる目的で加湿空気を供給するものである。加湿空気中の水蒸気は拡散する速度が速いことから、加湿空気の供給により湿度を上げる対象としては、従来、部屋全体が想定されていた。このため、例えば、部屋の一部の人がいる部分に、スポット的に加湿空気を供給することを目的とした加湿装置は存在しなかった。
【００１６】
加湿装置１は、風向変更部８に、第１の吹出口６から上方に吹き出した加湿空気の向きを変更して、加湿空気を水平外側方向に吹き出すスポット用吹出口９を備えている。このスポット用吹出口９により、部屋全体ではなくその一部の領域に対してスポット的に加湿空気を供給することを可能にしている。例えば、加湿装置１を床や卓上に設置し、スポット用吹出口９を加湿対象領域に向けることにより、その周りにスポット的に加湿空気を供給すること（以下、適宜「スポット加湿」という。）が可能となる。ここで、「水平外側方向」に加湿空気を吹き出すとは、天面５の第１の吹出口６から吹き出された加湿空気の上方向および内側方向への空気の流れを止めて、外側方向への流れのみを許容することにより、本体ケース７の外部に加湿空気を供給することをいう。
【００１７】
第１の吹出口６に加湿空気を供給する送風手段２は、ファン吸気口２ａを構成する筒状部材２ｂと、複数の羽根２ｃが立設されてなる回転体２ｄと、モータ部２ｅとから構成されている。筒状部材２ｂは羽根２ｃと接合されている。このため、モータ部２ｅの回転により、筒状部材２ｂは回転体２ｄととともに回転する。送風手段２は、ファン吸気口２ａが下方となるように、そのモータ部２ｅが天面５の下面に取り付けられている。モータ部２ｅは天面５の中央に配置されている。そして、第１の吹出口６は、平面した場合に、モータ部２ｅを取り囲むように天面５に形成されている（図４（ａ）も併せて参照）。
【００１８】
図３は、加湿装置の本体ケースから風向変更部を取り外した状態を示す斜視図である。図４は、加湿装置の内部構造を示す図１のＡ−Ａ’矢視断面斜視図であり（ａ）が吹出口が正面を向いた状態を示し、（ｂ）がスポット用吹出口９が背面を向いた状態を示している。図５は、取り外された風向変更部を底面から見た平面図である。図６は、風向変更部が取り外された状態の本体ケースの天面の部分拡大斜視図である。
【００１９】
これらの図に示すように、風向変更部８は、上面板１０、外側壁１１、仕切壁１２、および内側壁１３により囲まれた空気室１４を備えている。そして、スポット用吹出口９が、空気室１４の外側壁１１の一部に形成されている。このように、第１の吹出口６から吹き出された加湿空気を、空気室１４を介してスポット用吹出口９から吹き出すことにより、水平外側方向に風向を変えてスポット加湿を行うことが可能となる。
【００２０】
なお、空気室１４は、外側壁１１のスポット用吹出口９による水平外側方向への加湿空気の吹き出しを可能にする程度に、上面板１０、外側壁１１、仕切壁１２、および内側壁１３により閉塞されていればよい。すなわち、上面板１０、外側壁１１、仕切壁１２、および内側壁１３に、スポット用吹出口９以外の孔や切り欠きが形成されていてもよい。
【００２１】
本実施形態では、空気室１４は、上面板１０、外側壁１１、仕切壁１２、および内側壁１３により囲まれた空間により構成されている。しかし、本体ケース７の天面５には、平面視した状態で円形であって、上に突出する中央部１５が形成されている。この中央部１５の高さは略風向変更部８の高さと等しく、その側面は、内側壁１３同様加湿空気の内側方向への空気の流れを止める機能を有する。このため、風向変更部８から内側壁１３を取り除いたとしても、空気室１４は上述したようにスポット加湿を行うことができる。この場合、空気室１４は、上面板１０、外側壁１１、仕切壁１２、および中央部１５により囲まれた空間により構成される。
【００２２】
上述した２つの構成はいずれも、空気室１４が、上面板１０、外側壁１１および仕切壁１２により囲まれている。空気室１４が上面板１０、外側壁１１および仕切壁１２により規定されるとは、このことを意義している。
【００２３】
図３に示すように、本体ケース７の天面５の外郭は円形である。また、風向変更部８の上面板１０の外郭は、天面５の外郭に対応した円形である。そして、風向変更部８は、天面５上を水平方向に３６０°回動可能に構成されている。このため、風向変更部８を回動させることにより、スポット用吹出口９の方向を変化させて、スポット加湿を行う方向を細かく変えることができる。
【００２４】
だだし、本体ケース７の天面５および風向変更部８の上面板１０の外郭形状は、円形に限られず、正三角形、正方形などの正多角形として構成することもできる。例えば、正方形とした場合、４つの側面のうちの一つにスポット用吹出口を設ける構成とすれば、スポット用吹出口の位置を変えることにより、スポット加湿の方向を変化させることや、スポット加湿と部屋全体の加湿とを切り替えることができる。
【００２５】
風向変更部８の上面板１０には、スポット用吹出口９の中央に対応した位置に丸い凹部１６が形成されている。この凹部１６に指をかけて風向変更部８を回動させることで、スポット用吹出口９の方向を容易に変化させることができる。また、操作者はスポット用吹出口９からのスポット加湿の方向を直感的に容易に視認することが可能になる。
【００２６】
本実施形態の加湿装置１は、第１の吹出口６が天面５の一部の領域に形成されており、その他の領域が加湿空気を吹き出さない閉塞部１７となっている。第１の吹出口６および閉塞部１７により、中央部１５を囲む円環部２０を構成している。なお、閉塞部１７の下方には、送風手段２（図２参照）やそれを制御する演算装置等のための配線等が設けられている（図示せず）。
【００２７】
風向変更部８は、上面板１０の空気室１４を規定する部分以外の領域に、垂直方向に加湿空気を吹き出す第２の吹出口１８を備えている。
【００２８】
そして、天面５に対して風向変更部８を相対的に水平方向に回動させることにより、風向変更部８の空気室１４および第２の吹出口１８のうち、第１の吹出口６と重なる部分の割合が変化する。このため、風向変更部８の回動により、第１の吹出口６から空気室１４に供給される加湿空気と、第１の吹出口６から第２の吹出口１８に供給される加湿空気の比率が変化する。これにより、第１の吹出口６から吹き出された加湿空気のうち、スポット用吹出口９によるスポット加湿に用いられるものと、第２の吹出口１８による部屋全体を対象とした加湿に用いられるものとの比率を変化させることができる。
【００２９】
本実施形態の加湿装置１は、第１の吹出口６が天面５の円環部２０（図３参照）の約３分の２の領域に形成されており、第２の吹出口１８も風向変更部８の約３分の２の領域に形成されている。そして、第１の吹出口６と加湿装置１、閉塞部１７と空気室１４とが、それぞれ略同じ大きさに構成されている。
【００３０】
図４（ａ）に示すように、スポット用吹出口９が正面を向いた状態では、第１の吹出口６からの加湿空気は、約２：１の割合で空気室１４および第２の吹出口１８に供給される。このため、加湿空気の量は、約２：１の割合でスポット用吹出口９および第２の吹出口１８から吹き出される。本実施形態では、部屋全体への加湿性能を確保するため、スポット加湿を行う場合も、同時に第２の吹出口１８による部屋全体への加湿を行う構成としている。
【００３１】
図４（ｂ）に示すように、スポット用吹出口９が背面を向いた状態（図１に示した状態から風向変更部８を１８０°回動させた状態）では、天面５の第１の吹出口６が風向変更部８の第２の吹出口１８に、天面５の閉塞部１７が風向変更部８の空気室１４に、それぞれ重なる。風向変更部８を回動させてこの状態とすることにより、第１の吹出口６からの加湿空気は、全て第２の吹出口１８に供給され、スポット用吹出口９には供給されない。このため、加湿空気は、加湿装置１のみから上方に吹き出される。
【００３２】
本実施形態においては、スポット加湿と同時に第２の吹出口１８による部屋全体への加湿を行う構成としている。しかし、風向変更部８を１８０°回動させることにより、スポット加湿のみのモードと、部屋全体への加湿のみのモードとを切り替える構成としてもよい。例えば、円環部２０において第１の吹出口６と閉塞部１７とを半分ずつ形成し、風向変更部８において空気室１４と第２の吹出口１８とを半分ずつ形成した構成とすれば、スポット用吹出口９が正面を向いた状態（図４（ａ）参照）では、第１の吹出口６からの加湿空気の全てが空気室１４に供給されるからスポット加湿のみのモードとなり、スポット用吹出口９が背面を向いた状態（図４（ｂ）参照）では、第１の吹出口６からの加湿空気の全てが加湿装置１に供給されるから部屋全体への加湿のみのモードとなる。
【００３３】
上述したように、加湿装置１は、風向変更部８を回動させることにより、スポット加湿と部屋全体を対象とする加湿とを切り替えること、およびスポット加湿の方向を変化させることを簡単に行うことができる。
【００３４】
図３、図４に示すように、本体ケース７の天面５の周囲には外周壁１９が設けられている。この外周壁１９は、前側が最も低く後ろ側が最も高くなるように、連続的に高さが変化した構成となっている。また、外周壁１９の高さは、前側がスポット用吹出口９が露出し、後ろ側がスポット用吹出口９を覆うのに十分なものに構成されている。
【００３５】
図４（ａ）に示すように、スポット加湿を行うときには、スポット用吹出口９が外周壁１９により覆われないから、スポット用吹出口９が見える。対して、図４（ｂ）に示すように、１８０°回転させてスポット加湿を行わないときには、スポット用吹出口９が外周壁１９により覆われるから、スポット用吹出口９が見えない。上記加湿装置１により、スポット加湿と部屋全体を対象とする加湿との切り替えに対応して、スポット用吹出口９を覆うことにより、スポット加湿をしているか否かを容易に判断することができる。
【００３６】
図３に示すように、本体ケース７の天面５は、平面視した状態で円形であり、上側に突出する中央部１５と、その周囲の円環部２０とを備えている。この円環部２０は、第１の吹出口６と閉塞部１７とからなっている。そして、図３、図５に示すように、風向変更部８は、平面視した状態で、円環部２０の外形に対応した円環形である。中央部１５の下部溝２１に風向変更部８を着脱可能に係止する係止爪２２が、風向変更部８の内側壁１３に設けられている。
【００３７】
このように、内側壁１３にのみ係止爪２２を形成することにより、風向変更部８を円環部２０の外側いっぱいまで設けることができるから、第２の吹出口１８の設計の自由度が大きくなる。例えば、係止爪２２を内側壁１３に形成することにより、外側壁１１に形成した場合よりも、第２の吹出口１８の外径を大きくすることができるから、加湿性能を向上させることができる。
【００３８】
内側壁１３の係止爪２２の両側には切り込みが形成されており、内側壁１３の弾性変位により係止爪２２が外側方向に変位可能となっている。また、係止爪２２の下面には、下から上に行くにしたがって連続的に幅広になる斜面が形成されている。このため、風向変更部８を天面５方向に押し込むと、係止爪２２が外側方向に撓む。これにより、内側壁１３は中央部１５の側面を通過することができる。このため、風向変更部８の本体ケース７への取り付けは、風向変更部８が天面５に対してどの位置にあるときでも可能である。
【００３９】
これに対して、下部溝２１を構成する中央部１５の下端面および係止爪２２の上面はいずれも、水平な面で構成されている。このため、下部溝２１と係止爪２２とが係合した状態では、風向変更部８を天面５から引き上げる方向の力を加えることにより、両者の係合を外すことはできない。風向変更部８を本体ケース７から取り外す場合、風向変更部８を回動させて、本体ケース７の中央部１５の側面に設けられた係止爪通過溝２３と係止爪２２との位置を合わせる。これにより係止爪２２と下部溝２１との係合が外れて、係止爪２２が係止爪通過溝２３を通過可能な状態となる。したがって、風向変更部８を引き上げて本体ケース７から取り外すことが可能になる。
【００４０】
上述したように、加湿装置１は、風向変更部８が天面５に対して所定の位置にある場合にのみ、本体ケース７から取り外し可能に構成されている。これにより、たとえば、子供のいたずらによって風向変更部８が誤って取り外されるといった事態が生じることを防止できる。また、風向変更部８は、空気の通り道であることから埃などが溜まりやすいが、取り外し可能に構成することで、清潔に保って機能を維持するために洗浄することが容易である。
【００４１】
なお、図３では、係止爪通過溝２３のうち手前側の見える位置にあるもののみを示している。しかし、係止爪通過溝２３は、風向変更部８が所定の位置に来たときに、各係止爪２２と下部溝２１との係合が解かれて、各２２が各係止爪通過溝２３を通過可能となるように、係止爪２２に対応した位置にそれぞれ設けられている。
【００４２】
風向変更部８が取り外し可能となる所定の位置は、例えば、図６に示すように、外周壁１９にマーク２４を付して示す。マーク２４の位置に凹部１６が来たときにのみ風向変更部８を取り外し可能とすれば良い。また、風向変更部８が所定の位置に来たときに、風向変更部８の内側壁１３の下端付近に設けられたクリック用凸部２５が、天面５の中央部１５の下部溝２１に設けられているクリック用凹部２６と係合して生じるクリック感により、操作者に取り外し可能であることを知らせる。
【００４３】
下部溝２１には、スポット用吹出口９が正面に位置したことを知らせるクリック用凹部２７も設けられている。スポット用吹出口９が正面に位置したときには、クリック用凸部２５とクリック用凹部２７とが係合して生じるクリック感により、操作者に知らせる。なお、スポット用吹出口９が背面に位置したことをクリック感により知らせるためのクリック用凹部も設けられている（図示せず）。
【００４４】
図６に示すように、天面５の円環部２０の外郭には溝２８が形成されている。このように、溝２８を設けることにより、風向変更部８の外側壁１１の下端面と天面５との接触面積が小さくなる。したがって、両者の摩擦抵抗を小さくし、風向変更部８をスムーズに回動させることが可能となる。
【００４５】
図７は、第１の吹出口の整流版と送風手段の一部および吹出口との位置関係を説明する、送風手段の一部および天面の第１の吹出口を下方から見た部分拡大斜視図である。同図に示すように、第１の吹出口６の送風手段２側の面（下面）には、送風手段２により形成された加湿空気の流れを整流する整流板２９が設けられている。この整流板２９により、図中に片側矢印により示した、送風手段２により形成された斜め上方向への加湿空気の流れを整流して、スポット加湿に適した鉛直上方向への流れとすることができる。これにより、スポット用吹出口９から外側方向に加湿空気を吹き出して、スポット加湿を行うことができる。
【００４６】
整流板２９は、送風手段２により形成された流れの上流側に設けることにより、高い整流効果を奏する。このため、第１の吹出口６の下面に、その面が鉛直方向と平行となるように整流板２９を設けることにより、整流効果を高くすることができる。このため、送風手段２は、天面５の第１の吹出口６の送風手段２側の面に、水平方向から見た場合に送風手段２の羽根２ｃと重なる位置に鉛直方向に複数設けられている。ただし、整流板２９を設ける位置は、第１の吹出口６の下面に限られるものではなく、第１の吹出口６の上面や、空気室１４の内部に設けることとしてもよい。なお、送風手段２を空気室１４の内部に設ける場合、送風手段２により形成された流れに逆らう方向に傾斜を付けて配置することが好ましい。
【００４７】
図７に、正面側に位置した状態のスポット用吹出口９に対応する位置を両側矢印で示している。このように、第１の吹出口６の下側の整流板２９は、スポット用吹出口９に対応する位置、およびスポット用吹出口９よりも加湿空気の流れの上流となる位置に設けられている。このように、複数の整流板２９をスポット用吹出口９に対応する位置に加えて、その上流側に設けることにより、さらに良好な整流効果を得ることができる。
【産業上の利用可能性】
【００４８】
本発明に係る加湿装置は、特定領域をスポット的に加湿することが出来るという効果を奏し、室内に置かれる加湿装置として有用である。
【符号の説明】
【００４９】
１    加湿装置
２    送風手段
３    加湿フィルター
４    貯水容器
５    天面
６    第１の吹出口
７    本体ケース
８    風向変更部
９    スポット用吹出口
１０  上面板
１１  外側壁
１２  仕切壁
１３  内側壁
１４  空気室
１５  中央部
１７  閉塞部
１８  第２の吹出口
１９  外周壁
２０  円環部
２１  下部溝
２２  係止爪
２３  係止爪通過溝
２８  溝
２９  整流板
【図１】
2014020707.tif 000003
【図２】
2014020707.tif 000004
【図３】
2014020707.tif 000005
【図４】
2014020707.tif 000006
【図５】
2014020707.tif 000007
【図６】
2014020707.tif 000008
【図７】
2014020707.tif 000009